【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
人が存在する閉鎖空間の気圧を制御する気圧制御装置であって、
前記閉鎖空間の外部気圧をリアルタイムで取得し、その取得した外部気圧が所定値に到達したときに、前記閉鎖空間の気圧が前記所定値の１．０１〜１．０３倍になるように制御することを特徴とする気圧制御装置。
【請求項２】
人が存在する閉鎖空間の気圧を制御する気圧制御装置であって、
前記閉鎖空間の外部気圧をリアルタイムで取得し、その取得した外部気圧の変動値が所定値に到達したときに、前記閉鎖空間の気圧が、前記変動値が前記所定値に到達したときの外部気圧の１．０１〜１．０３倍になるように制御することを特徴とする気圧制御装置。
【請求項３】
人が存在する閉鎖空間の気圧を制御する気圧制御装置であって、
前記閉鎖空間の予測される外部気圧を取得し、その取得した外部気圧が所定値に到達したときに、前記閉鎖空間の気圧が、前記所定値に到達したときの外部気圧の１．０１〜１．０３倍になるように制御することを特徴とする気圧制御装置。
【請求項４】
前記閉鎖空間の気圧の前記取得した外部気圧に対する倍率を、前記１．０１〜１．０３倍の範囲内で所望の倍率に調節する倍率調節装置を備えることを特徴とする請求項１ないし請求項３のいずれか１つに記載の気圧制御装置。
【請求項５】
前記閉鎖空間の気圧が、前記倍率調節装置により調節された倍率に対応する気圧に維持されている時間を調節する維持時間調節装置を備えることを特徴とする請求項４に記載の気圧制御装置。
【請求項６】
前記閉鎖空間の気圧が、前記取得した外部気圧から、前記倍率調節装置により調節された倍率に対応する気圧に到達するまで漸増するように自動制御することを特徴とする請求項４または請求項５に記載の気圧制御装置。
【請求項７】
前記閉鎖空間の気圧が、前記取得した外部気圧から、前記倍率調節装置により調節された倍率に対応する気圧に昇圧するまでの時間を調節する昇圧時間調節装置を備えることを特徴とする請求項４ないし請求項６のいずれか１つに記載の気圧制御装置。
【請求項８】
前記閉鎖空間の気圧が、前記倍率調節装置により調節された倍率に対応する気圧から、前記取得した外部気圧に到達するまで漸減するように自動制御することを特徴とする請求項４ないし請求項７のいずれか１つに記載の気圧制御装置。
【請求項９】
前記閉鎖空間の気圧が、前記倍率調節装置により調節された倍率に対応する気圧から、前記取得した外部気圧に降圧するまでの時間を調節する降圧時間調節装置を備えることを特徴とする請求項４ないし請求項８のいずれか１つに記載の気圧制御装置。
【請求項１０】
前記閉鎖空間は、居住空間であることを特徴とする請求項１ないし請求項９のいずれか１つに記載の気圧制御装置。
【請求項１１】
前記閉鎖空間は、人が移動に用いる移動体内の空間であることを特徴とする請求項１ないし請求項９のいずれか１つに記載の気圧制御装置。
【請求項１２】
前記閉鎖空間は、特定の場所に設置された閉鎖空間であることを特徴とする請求項１ないし請求項９のいずれか１つに記載の気圧制御装置。
【請求項１３】
前記閉鎖空間は、移動により気圧が変動する閉鎖空間であることを特徴とする請求項１ないし請求項９のいずれか１つに記載の気圧制御装置。
【請求項１４】
前記閉鎖空間へ気体を供給する供給装置を備えており、
前記供給装置から供給する気体の供給量を制御することにより、前記閉鎖空間の気圧を制御することを特徴とする請求項１ないし請求項１３のいずれか１つに記載の気圧制御装置。
【手続補正２】
【補正対象書類名】明細書
【補正対象項目名】０００６
【補正方法】変更
【補正の内容】
【０００６】
【手続補正３】
【補正対象書類名】明細書
【補正対象項目名】０００７
【補正方法】変更
【補正の内容】
【０００７】
（請求項１に係る発明）
請求項１に係る発明では、人が存在する閉鎖空間の気圧を制御する気圧制御装置（６０）であって、
前記閉鎖空間の外部気圧（Ｐ）をリアルタイムで取得し、その取得した外部気圧が所定値に到達したときに、前記閉鎖空間の気圧（Ｐｒ）が前記所定値の１．０１〜１．０３倍になるように制御するという技術的手段を用いる。
【手続補正４】
【補正対象書類名】明細書
【補正対象項目名】０００８
【補正方法】変更
【補正の内容】
【０００８】
（請求項２に係る発明）
請求項２に係る発明では、人が存在する閉鎖空間の気圧を制御する気圧制御装置（６０）であって、
前記閉鎖空間の外部気圧（Ｐ）をリアルタイムで取得し、その取得した外部気圧の変動値が所定値に到達したときに、前記閉鎖空間の気圧（Ｐｒ）が、前記変動値が前記所定値に到達したときの外部気圧の１．０１〜１．０３倍になるように制御するという技術的手段を用いる。
【手続補正５】
【補正対象書類名】明細書
【補正対象項目名】０００９
【補正方法】変更
【補正の内容】
【０００９】
（請求項３に係る発明）
請求項３に係る発明では、人が存在する閉鎖空間の気圧を制御する気圧制御装置（６０）であって、
前記閉鎖空間の予測される外部気圧（Ｐ）を取得し、その取得した外部気圧が所定値に到達したときに、前記閉鎖空間の気圧（Ｐｒ）が、前記所定値に到達したときの外部気圧の１．０１〜１．０３倍になるように制御するという技術的手段を用いる。
【手続補正６】
【補正対象書類名】明細書
【補正対象項目名】００１０
【補正方法】変更
【補正の内容】
【００１０】
（請求項４に係る発明）
請求項４に係る発明では、請求項１ないし請求項３のいずれか１つに記載の気圧制御装置（６０）において、前記閉鎖空間の気圧（Ｐｒ）の前記取得した外部気圧（Ｐ）に対する倍率を、前記１．０１〜１．０３倍の範囲内で所望の倍率に調節する倍率調節装置（６２〜６４）を備えるという技術的手段を用いる。
【手続補正７】
【補正対象書類名】明細書
【補正対象項目名】００１１
【補正方法】変更
【補正の内容】
【００１１】
（請求項５に係る発明）
請求項５に係る発明では、請求項４に記載の気圧制御装置（６０）において、前記閉鎖空間の気圧（Ｐｒ）が、前記倍率調節装置（６２〜６４）により調節された倍率に対応する気圧（Ｐｔ）に維持されている時間を調節する維持時間調節装置（６７，６８）を備えるという技術的手段を用いる。
【手続補正８】
【補正対象書類名】明細書
【補正対象項目名】００１２
【補正方法】変更
【補正の内容】
【００１２】
（請求項６に係る発明）
請求項６に係る発明では、請求項４または請求項５に記載の気圧制御装置（６０）において、前記閉鎖空間の気圧（Ｐｒ）が、前記取得した外部気圧（Ｐ）から、前記倍率調節装置（６２〜６４）により調節された倍率に対応する気圧（Ｐｔ）に到達するまで漸増するように自動制御するという技術的手段を用いる。
【手続補正９】
【補正対象書類名】明細書
【補正対象項目名】００１３
【補正方法】変更
【補正の内容】
【００１３】
（請求項７に係る発明）
請求項７に係る発明では、請求項４ないし請求項６のいずれか１つに記載の気圧制御装置（６０）において、前記閉鎖空間の気圧（Ｐｒ）が、前記取得した外部気圧（Ｐ）から、前記倍率調節装置（６２〜６４）により調節された倍率に対応する気圧（Ｐｔ）に昇圧するまでの時間を調節する昇圧時間調節装置を備えるという技術的手段を用いる。
【手続補正１０】
【補正対象書類名】明細書
【補正対象項目名】００１４
【補正方法】変更
【補正の内容】
【００１４】
（請求項８に係る発明）
請求項８に係る発明では、請求項４ないし請求項７のいずれか１つに記載の気圧制御装置（６０）において、前記閉鎖空間の気圧（Ｐｒ）が、前記倍率調節装置（６２〜６４）により調節された倍率に対応する気圧（Ｐｔ）から、前記取得した外部気圧（Ｐ）に到達するまで漸減するように自動制御するという技術的手段を用いる。
【手続補正１１】
【補正対象書類名】明細書
【補正対象項目名】００１５
【補正方法】変更
【補正の内容】
【００１５】
（請求項９に係る発明）
請求項９に係る発明では、請求項４ないし請求項８のいずれか１つに記載の気圧制御装置（６０）において、前記閉鎖空間の気圧（Ｐｒ）が、前記倍率調節装置（６２〜６４）により調節された倍率に対応する気圧（Ｐｔ）から、前記取得した外部気圧（Ｐ）に降圧するまでの時間を調節する降圧時間調節装置を備えるという技術的手段を用いる。
【手続補正１２】
【補正対象書類名】明細書
【補正対象項目名】００１６
【補正方法】変更
【補正の内容】
【００１６】
（請求項１０に係る発明）
請求項１０に係る発明では、請求項１ないし請求項９のいずれか１つに記載の気圧制御装置（６０）において、前記閉鎖空間は、居住空間であるという技術的手段を用いる。
【手続補正１３】
【補正対象書類名】明細書
【補正対象項目名】００１７
【補正方法】変更
【補正の内容】
【００１７】
（請求項１１に係る発明）
請求項１１に係る発明では、請求項１ないし請求項９のいずれか１つに記載の気圧制御装置（６０）において、前記閉鎖空間は、人が移動に用いる移動体内の空間であるという技術的手段を用いる。
【手続補正１４】
【補正対象書類名】明細書
【補正対象項目名】００１８
【補正方法】変更
【補正の内容】
【００１８】
（請求項１２に係る発明）
請求項１２に係る発明では、請求項１ないし請求項９のいずれか１つに記載の気圧制御装置（６０）において、前記閉鎖空間は、特定の場所に設置された閉鎖空間であるという技術的手段を用いる。
【手続補正１５】
【補正対象書類名】明細書
【補正対象項目名】００１９
【補正方法】変更
【補正の内容】
【００１９】
（請求項１３に係る発明）
請求項１３に係る発明では、請求項１ないし請求項９のいずれか１つに記載の気圧制御装置（６０）において、前記閉鎖空間は、移動により気圧が変動する閉鎖空間であるという技術的手段を用いる。
【手続補正１６】
【補正対象書類名】明細書
【補正対象項目名】００２０
【補正方法】変更
【補正の内容】
【００２０】
（請求項１４に係る発明）
請求項１４に係る発明では、請求項１ないし請求項１３のいずれか１つに記載の気圧制御装置（６０）において、前記閉鎖空間へ気体を供給する供給装置を備えており、前記供給装置から供給する気体の供給量を制御することにより、前記閉鎖空間の気圧を制御するという技術的手段を用いる。
【手続補正１７】
【補正対象書類名】明細書
【補正対象項目名】００２２
【補正方法】変更
【補正の内容】
【００２２】
【手続補正１８】
【補正対象書類名】明細書
【補正対象項目名】００２３
【補正方法】変更
【補正の内容】
【００２３】
（請求項１に係る発明の効果）
請求項１に係る発明の気圧制御装置は、人が存在する閉鎖空間の外部気圧をリアルタイムで取得し、その取得した外部気圧が所定値に到達したときに、閉鎖空間の気圧が、その所定値の１．０１〜１．０３倍になるように制御する。
したがって、請求項１に係る発明は、慢性痛や気分障害を患う者ならびに健常者の健康を増進するという効果を奏する。
さらに、外部気圧が所定値に到達したときに閉鎖空間の気圧を外部気圧の１．０１〜１．０３倍になるように制御することができる。
したがって、請求項１に係る発明は、閉鎖空間の気圧を制御しても、所望の効果を得ることができないと予測される外部気圧のときに、閉鎖空間の気圧の制御を行わないようにすることができる。
【手続補正１９】
【補正対象書類名】明細書
【補正対象項目名】００２４
【補正方法】変更
【補正の内容】
【００２４】
（請求項２に係る発明の効果）
請求項２に係る発明の気圧制御装置は、人が存在する閉鎖空間の外部気圧をリアルタイムで取得し、その取得した外部気圧の変動値が所定値に到達したときに、閉鎖空間の気圧が、変動値が上記所定値に到達したときの外部気圧の１．０１〜１．０３倍になるように制御する。
したがって、請求項２に係る発明は、外部気圧の変動値が所定値に到達したときに閉鎖空間の気圧を外部気圧の１．０１〜１．０３倍になるように制御することができる。
つまり、請求項２に係る発明は、閉鎖空間の気圧を制御しても、所望の効果を得ることができないと予測される外部気圧のときに、閉鎖空間の気圧の制御を行わないようにすることができる。
【手続補正２０】
【補正対象書類名】明細書
【補正対象項目名】００２５
【補正方法】変更
【補正の内容】
【００２５】
（請求項３に係る発明の効果）
請求項３に係る発明の気圧制御装置は、人が存在する閉鎖空間の予測される外部気圧を取得し、その取得した外部気圧が所定値に到達したときに、閉鎖空間の気圧が、その所定値に到達したときの外部気圧の１．０１〜１．０３倍になるように制御する。
したがって、請求項３に係る発明は、予測される外部気圧が所定値に到達したときに閉鎖空間の気圧を外部気圧の１．０１〜１．０３倍になるように制御することができる。
つまり、請求項３に係る発明は、閉鎖空間の気圧を制御しても、所望の効果を得ることができないと予測される外部気圧のときに、閉鎖空間の気圧の制御を行わないようにすることができる。
【手続補正２１】
【補正対象書類名】明細書
【補正対象項目名】００２６
【補正方法】変更
【補正の内容】
【００２６】
（請求項４に係る発明の効果）
請求項４に係る発明の気圧制御装置は、閉鎖空間の気圧の前記取得した外部気圧に対する倍率を、１．０１〜１．０３倍の範囲内で所望の倍率に調節する倍率調節装置を備える。
したがって、請求項４に係る発明は、気圧に対する個人差に応じて最適の気圧に制御することができるため、気圧に対する個人差に応じて健康の増進を行うことができる。
【手続補正２２】
【補正対象書類名】明細書
【補正対象項目名】００２７
【補正方法】変更
【補正の内容】
【００２７】
（請求項５に係る発明の効果）
請求項５に係る発明の気圧制御装置は、閉鎖空間の気圧が、倍率調節装置により調節された倍率に対応する気圧に維持されている時間を調節する維持時間調節装置を備える。
したがって、請求項５に係る発明は、調節された気圧に晒されている時間の長さが、効果の種類、効果の程度、あるいは、効果の個人差に対して影響を与える場合に、時間を調節することによって最大の効果を奏することができる。
【手続補正２３】
【補正対象書類名】明細書
【補正対象項目名】００２８
【補正方法】変更
【補正の内容】
【００２８】
（請求項６に係る発明の効果）
請求項６に係る発明の気圧制御装置は、閉鎖空間の気圧が、取得した外部気圧から、倍率調節装置により調節された倍率に対応する気圧に到達するまで漸増するように自動制御する。
したがって、請求項６に係る発明は、閉鎖空間の気圧が急激に上昇しないようにすることができるため、気圧の急激な上昇による人体への影響をなくすことができる。
【手続補正２４】
【補正対象書類名】明細書
【補正対象項目名】００２９
【補正方法】変更
【補正の内容】
【００２９】
（請求項７に係る発明の効果）
請求項７に係る発明の気圧制御装置は、閉鎖空間の気圧が、取得した外部気圧から、倍率調節装置により調節された倍率に対応する気圧に昇圧するまでの時間を調節する昇圧時間調節装置を備える。
したがって、請求項７に係る発明は、気圧の上昇に対して順応性が低い人に対して、最適な昇圧時間に調節することができるため、そのような人も当該気圧制御装置を利用して健康を増進することができる。
【手続補正２５】
【補正対象書類名】明細書
【補正対象項目名】００３０
【補正方法】変更
【補正の内容】
【００３０】
（請求項８に係る発明の効果）
請求項８に係る発明の気圧制御装置は、閉鎖空間の気圧が、倍率調節装置により調節された倍率に対応する気圧から、前記取得した外部気圧に到達するまで漸減するように自動制御する。
したがって、請求項８に係る発明は、閉鎖空間の気圧が急激に下降しないようにすることができるため、気圧の急激な下降による人体への影響をなくすことができる。
【手続補正２６】
【補正対象書類名】明細書
【補正対象項目名】００３１
【補正方法】変更
【補正の内容】
【００３１】
（請求項９に係る発明の効果）
請求項９に係る発明の気圧制御装置は、閉鎖空間の気圧が、倍率調節装置により調節された倍率に対応する気圧から、前記取得した気圧に降圧するまでの時間を調節する降圧時間調節装置を備える。
したがって、請求項９に係る発明は、気圧の下降に対して順応性が低い人に対して、最適な降圧時間に調節することができるため、そのような人も当該気圧制御装置を利用して健康を増進することができる。
【手続補正２７】
【補正対象書類名】明細書
【補正対象項目名】００３２
【補正方法】変更
【補正の内容】
【００３２】
（請求項１０に係る発明の効果）
請求項１０に係る発明の気圧制御装置は、居住空間の気圧を外部気圧の１．０１〜１．０３倍になるように制御する。
したがって、請求項１０に係る発明は、居住空間に居住する人の健康を増進することができる。
たとえば、家に住む人や職場で働く人の健康を増進することができる。
【手続補正２８】
【補正対象書類名】明細書
【補正対象項目名】００３３
【補正方法】変更
【補正の内容】
【００３３】
（請求項１１に係る発明の効果）
請求項１１に係る発明の気圧制御装置は、人が移動に用いる移動体内の空間の気圧を外部気圧の１．０１〜１．０３倍になるように制御する。
したがって、請求項１１に係る発明は、人が移動に用いる移動体内の空間に入っている人の健康を増進することができる。
たとえば、自動車、鉄道車両、航空機、船舶、エレベーターなどの移動体内の空間に入っている人の健康を増進することができる。
【手続補正２９】
【補正対象書類名】明細書
【補正対象項目名】００３４
【補正方法】変更
【補正の内容】
【００３４】
（請求項１２に係る発明の効果）
請求項１２に係る発明の気圧制御装置は、特定の場所に設置された閉鎖空間の気圧を外部気圧の１．０１〜１．０３倍になるように制御する。
したがって、請求項１２に係る発明は、特定の場所に設置された閉鎖空間に入っている人の健康を増進することができる。
たとえば、空港のラウンジ、鉄道の駅の待合室などの閉鎖空間に当該気圧制御装置を接続する。これにより、気圧低下によって慢性痛や気分障害を発症した人が、その閉鎖空間に入ることにより、症状を改善することができる。
【手続補正３０】
【補正対象書類名】明細書
【補正対象項目名】００３５
【補正方法】変更
【補正の内容】
【００３５】
（請求項１３に係る発明の効果）
請求項１３に係る発明の気圧制御装置は、移動により気圧が変動する閉鎖空間の気圧を外部気圧の１．０１〜１．０３倍になるように制御する。
したがって、請求項１３に係る発明は、移動により気圧が変動する閉鎖空間に入っている人の健康を増進することができる。
【手続補正３１】
【補正対象書類名】明細書
【補正対象項目名】００３６
【補正方法】変更
【補正の内容】
【００３６】
特に、気圧の低下に起因する慢性痛や気分障害を患う者は、鉄道車両がトンネルに入ったとき、航空機が飛行しているとき、エレベーターが上昇しているときなど、気圧が低下する環境下において、慢性痛や気分障害を発症することが多い。
そこで、請求項１３に係る発明を実施すれば、移動により気圧が変動する閉鎖空間の気圧を外部気圧の１．０１〜１．０３倍になるように制御することができるため、気圧の低下に起因する慢性痛や気分障害が発症しないようにすることができる。
【手続補正３２】
【補正対象書類名】明細書
【補正対象項目名】００３７
【補正方法】変更
【補正の内容】
【００３７】
（請求項１４に係る発明の効果）
請求項１４に係る発明の気圧制御装置は、閉鎖空間へ気体を供給する供給装置を備えており、その供給装置から供給する気体の供給量を制御することにより、閉鎖空間の気圧を制御する。
したがって、請求項１４に係る発明は、供給装置から供給する気体の供給量を制御するという簡易な構成により、閉鎖空間の気圧を外部気圧の１．０１〜１．０３倍になるように制御することができるため、当該気圧制御装置の適用範囲を拡げることができる。
【手続補正３３】
【補正対象書類名】明細書
【補正対象項目名】００４５
【補正方法】変更
【補正の内容】
【００４５】
気圧制御装置６０は、気圧ルーム５０の外部気圧（大気圧）を測定する気圧センサ７１と、空気を加圧パイプを介して気圧ルーム５０へ供給するポンプ７２と、各減圧パイプに設けられた電磁弁７３，７４と、操作パネル６１と、インターホン７５と、制御回路７６と、電源７７とを備える。制御回路７６は、ポンプ７２の駆動回路と、各電磁弁７３，７４の駆動回路と、気圧の制御などの各種制御を行うマイクロコンピュータとを備える。制御回路７６は、ポンプ７２を制御し、気圧ルーム５０の気圧を、調節ボタン６２〜６４により調節された目標の気圧まで漸増しながら昇圧する制御と、時間増加ボタン６７および時間減少ボタン６８により設定された使用時間の間、目標の気圧を維持する制御とを行う。また、制御回路７６は、上記使用時間が経過したときに、電磁弁７３，７４を制御し、気圧ルーム５０の気圧が目標の気圧から外部気圧まで漸減しながら降圧する制御を行う。
また、気圧制御装置６０には、気圧ルーム５０の内部に設けられた気圧センサ７８と、気圧ルーム５０の内部に設けられたインターホン７９とが電気的に接続されている。
制御回路７６は、気圧ルーム５０の内部の気圧が目標の気圧となるように、ポンプ７２を駆動し、各電磁弁７３，７４の開閉を制御する。
【手続補正３４】
【補正対象書類名】明細書
【補正対象項目名】００９１
【補正方法】変更
【補正の内容】
【００９１】
〈他の実施形態１〉
閉鎖空間の外部気圧Ｐをリアルタイムで取得し、その取得した外部気圧Ｐが所定値に到達したときに、閉鎖空間の気圧Ｐｒが上記所定値の１．０１〜１．０３倍になるように気圧制御装置６０を構成することもできる。
この気圧制御装置６０を実施すれば、閉鎖空間の気圧を制御しても、所望の効果を得ることができないと予測される外部気圧のときに、閉鎖空間の気圧の制御を行わないようにすることができる。なお、この気圧制御装置６０が請求項１に係る発明に対応する。
【手続補正３５】
【補正対象書類名】明細書
【補正対象項目名】００９２
【補正方法】変更
【補正の内容】
【００９２】
〈他の実施形態２〉
閉鎖空間の外部気圧Ｐをリアルタイムで取得し、その取得した外部気圧の変動値が所定値に到達したときに、閉鎖空間の気圧Ｐｒが、上記変動値が前記所定値に到達したときの外部気圧の１．０１〜１．０３倍になるように気圧制御装置６０を構成することもできる。
この気圧制御装置６０を実施すれば、閉鎖空間の気圧を制御しても、所望の効果を得ることができないと予測される外部気圧のときに、閉鎖空間の気圧の制御を行わないようにすることができる。なお、この気圧制御装置６０が請求項２に係る発明に対応する。
【手続補正３６】
【補正対象書類名】明細書
【補正対象項目名】００９３
【補正方法】変更
【補正の内容】
【００９３】
〈他の実施形態３〉
閉鎖空間の予測される外部気圧Ｐを取得し、その取得した外部気圧が所定値に到達したときに、閉鎖空間の気圧Ｐｒが、上記所定値に到達したときの外部気圧の１．０１〜１．０３倍になるように気圧制御装置６０を構成することもできる。たとえば、インターネットなどの通信回線を介して気象予報情報を取得し、その取得した気象予報情報に含まれる気圧予想値を、予測される外部気圧Ｐとして用いることができる。
この気圧制御装置６０を実施すれば、閉鎖空間の気圧を制御しても、所望の効果を得ることができないと予測される外部気圧のときに、閉鎖空間の気圧の制御を行わないようにすることができる。なお、この気圧制御装置６０が請求項３に係る発明に対応する。
【手続補正３７】
【補正対象書類名】明細書
【補正対象項目名】００９４
【補正方法】変更
【補正の内容】
【００９４】
〈他の実施形態４〉
閉鎖空間の気圧Ｐｒが、取得した外部気圧Ｐから、調節ボタン６２〜６４により調節された倍率に対応する気圧Ｐｔに昇圧するまでの時間を調節する昇圧時間調節装置を備えるように気圧制御装置６０を構成することもできる。
この気圧制御装置６０を実施すれば、気圧の上昇に対して順応性が低い人に対して、最適な昇圧時間に調節することができるため、そのような人も当該気圧制御装置６０を利用して健康を増進することができる。なお、この気圧制御装置６０が請求項７に係る発明に対応する。
【手続補正３８】
【補正対象書類名】明細書
【補正対象項目名】００９５
【補正方法】変更
【補正の内容】
【００９５】
〈他の実施形態５〉
閉鎖空間の気圧Ｐｒが、調節ボタン６２〜６４により調節された倍率に対応する気圧Ｐｔから、取得した外部気圧Ｐに降圧するまでの時間を調節する降圧時間調節装置を備えるように気圧制御装置６０を構成することもできる。
この気圧制御装置６０を実施すれば、気圧の下降に対して順応性が低い人に対して、最適な降圧時間に調節することができるため、そのような人も当該気圧制御装置を利用して健康を増進することができる。なお、この気圧制御装置６０が請求項９に係る発明に対応する。
【手続補正３９】
【補正対象書類名】明細書
【補正対象項目名】００９６
【補正方法】変更
【補正の内容】
【００９６】
〈他の実施形態６〉
居住空間の気圧の制御に気圧制御装置６０を用いることもできる。この気圧制御装置６０を実施すれば、居住空間に居住する人の健康を増進することができる。たとえば、家に住む人や職場で働く人の健康を増進することができる。なお、この気圧制御装置６０が請求項１０に係る発明に対応する。
【手続補正４０】
【補正対象書類名】明細書
【補正対象項目名】００９７
【補正方法】変更
【補正の内容】
【００９７】
〈他の実施形態７〉
人が移動に用いる移動体内の空間の気圧制御に気圧制御装置６０を用いることもできる。この気圧制御装置６０を実施すれば、人が移動に用いる移動体内の空間に入っている人の健康を増進することができる。たとえば、自動車、鉄道車両、航空機、船舶、エレベーターなどの移動体内の空間に入っている人の健康を増進することができる。なお、この気圧制御装置６０が請求項１１に係る発明に対応する。
【手続補正４１】
【補正対象書類名】明細書
【補正対象項目名】００９８
【補正方法】変更
【補正の内容】
【００９８】
〈他の実施形態８〉
特定の場所に設置された閉鎖空間の気圧制御に気圧制御装置６０を用いることもできる。この気圧制御装置６０を実施すれば、特定の場所に設置された閉鎖空間に入っている人の健康を増進することができる。たとえば、空港のラウンジ、鉄道の駅の待合室などの閉鎖空間に当該気圧制御装置を接続する。これにより、気圧低下によって慢性痛や気分障害を発症した人が、その閉鎖空間に入ることにより、症状を改善することができる。なお、この気圧制御装置６０が請求項１２に係る発明に対応する。
【手続補正４２】
【補正対象書類名】明細書
【補正対象項目名】００９９
【補正方法】変更
【補正の内容】
【００９９】
〈他の実施形態９〉
移動により気圧が変動する閉鎖空間の気圧制御に気圧制御装置６０を用いることもできる。この気圧制御装置６０を実施すれば、移動により気圧が変動する閉鎖空間に入っている人の健康を増進することができる。
特に、気圧の低下に起因する慢性痛や気分障害を患う者は、鉄道車両がトンネルに入ったとき、航空機が飛行しているとき、エレベーターが上昇しているときなど、気圧が低下する環境下において、慢性痛や気分障害を発症することが多い。
そこで、気圧制御装置６０を実施すれば、移動により気圧が変動する閉鎖空間の気圧を外部気圧の１．０１〜１．０３倍になるように制御することができるため、気圧の低下に起因する慢性痛や気分障害が発症しないようにすることができる。なお、この気圧制御装置６０が請求項１３に係る発明に対応する。
【手続補正４３】
【補正対象書類名】図面
【補正対象項目名】図３
【補正方法】変更
【補正の内容】
【図３】
2018011729.tif 000001